(57)【要約】【課題】金属板からなり、電子機器のＦ型接栓にＦ型コネクタを締め付けるのに用いられる簡易型のスパナにおいて、締め付け時にＦ型コネクタのナット部分から外れ難くすることで、締め付け時の作業性を向上する。【解決手段】アンテナ装置に付属品として設けられる設置用の工具７０には、スパナ部７２、レンチ部７４、開口部７６、係止部７８、レンチ部８０が順に形成されている。スパナ部７２は、アンテナ装置に突設されたＦ型接栓にＦ型コネクタを螺合し、締め付けるためのものであり、工具７０の先端に、絞り加工により段差８２を付けることで、Ｆ型コネクタへの嵌合部８４を、工具７０の板面よりも高い位置に配置している。【選択図】図３
2014065127.tif 000002
【特許請求の範囲】
【請求項１】
電子機器の筐体から突出されたＦ型接栓に、Ｆ型コネクタを螺合し、締め付けるのに用いられるＦ型コネクタ用スパナであって、
長尺形状の金属板からなる本体部と、
該本体部の長手方向一端側に形成され、前記Ｆ型コネクタのナット部分に嵌合可能な嵌合部と、
を備え、前記嵌合部は、当該嵌合部周囲の前記金属板の板面に対し所定の高さ位置となるよう、前記金属板を板金加工することにより形成されていることを特徴とするＦ型コネクタ用スパナ。
【請求項２】
前記嵌合部は、前記金属板を絞り加工することにより形成されていることを特徴とする請求項１に記載のＦ型コネクタ用スパナ。
【発明の詳細な説明】
【技術分野】
【０００１】
本発明は、電子機器の筐体から突出されたＦ型接栓に、Ｆ型コネクタを螺合し、締め付けるのに用いられるＦ型コネクタ用スパナに関する。
【背景技術】
【０００２】
従来、アンテナ装置やアンテナ装置からの受信信号を伝送する伝送機器等の電子機器には、アンテナ素子や半導体素子等からなる電子機器の構成部材を、筐体となるケース内に収納し、受信信号等の各種信号をケースに突設したＦ型接栓を介して入・出力するように構成されたものが知られている（例えば、特許文献１参照）。
【０００３】
そして、この種の電子機器に対し信号を入出力する際には、通常、電子機器のＦ型接栓に螺合可能なＦ型コネクタが一端に設けられた同軸ケーブルが用いられる。
つまり、同軸ケーブルの一端にＦ型コネクタを接続し、このＦ型コネクタを電子機器のケースから突出されたＦ型接栓に螺合することで、電子機器に同軸ケーブルを接続するのである。
【先行技術文献】
【特許文献】
【０００４】
【特許文献１】特開２０１２−１０３２８号公報
【発明の概要】
【発明が解決しようとする課題】
【０００５】
ところで、電子機器のＦ型接栓にＦ型コネクタを螺合する際には、経年変化で螺合が外れ、接続不良が生じることのないよう、スパナ等の工具が用いられる。
そして、この工具には、Ｆ型コネクタのナット部分に嵌合した際、ナット部分から外れることのないよう、ナット部分に嵌合される嵌合部の厚みが充分厚い、汎用のスパナが用いられることもあるが、電子機器に付属品として備えられている、薄い金属板からなる簡易型のスパナが用いられることもある。
【０００６】
このような簡易型のスパナであっても、金属板のプレス成形等によって、嵌合部が形成されているので、嵌合部をＦ型コネクタのナット部分に嵌合させれば、Ｆ型コネクタのナット部分を電子機器のＦ型接栓にしっかりと締め付けることができる。
【０００７】
しかしながら、簡易型のスパナにおいて、嵌合部の厚みは使用者が手で持つ本体部の厚みと略同じであることから、締め付け時に、嵌合部がＦ型コネクタのナット部分から外れ易く、電子機器設置時の作業性が悪いという問題があった。
【０００８】
特に、アンテナ装置のように、高所で同軸ケーブルを接続するような場合は、スパナを落とすことのないよう、締め付け作業を慎重に行う必要があるが、嵌合部がＦ型コネクタのナット部分から外れ易い場合には、締め付け作業をより注意して行う必要があり、作業性が著しく低下する。
【０００９】
本発明は、こうした問題に鑑みなされたものであり、金属板からなり、電子機器のＦ型接栓にＦ型コネクタを締め付けるのに用いられる簡易型のスパナにおいて、締め付け時にＦ型コネクタのナット部分から外れ難くすることで、締め付け時の作業性を向上することを目的とする。
【課題を解決するための手段】
【００１０】
かかる目的を達成するためになされた請求項１に記載の発明は、
電子機器の筐体から突出されたＦ型接栓に、Ｆ型コネクタを螺合し、締め付けるのに用いられるＦ型コネクタ用スパナであって、
長尺形状の金属板からなる本体部と、
該本体部の長手方向一端側に形成され、前記Ｆ型コネクタのナット部分に嵌合可能な嵌合部と、
を備え、前記嵌合部は、当該嵌合部周囲の前記金属板の板面に対し所定の高さ位置となるよう、前記金属板を板金加工することにより形成されていることを特徴とする。
【００１１】
また、請求項２に記載の発明は、請求項１に記載のＦ型コネクタ用スパナにおいて、前記嵌合部は、前記金属板を絞り加工することにより形成されていることを特徴とする。
【発明の効果】
【００１２】
請求項１に記載のＦ型コネクタ用スパナによれば、Ｆ型コネクタのナット部分に嵌合可能な嵌合部が、当該嵌合部周囲の金属板の板面よりも高い位置に配置される。
このため、その高さを、Ｆ型接栓の電子機器の筐体からの突出量に対応して設定しておくことで、Ｆ型コネクタをＦ型接栓に螺合して締め付ける際に、Ｆ型コネクタ用スパナの嵌合部周囲の電子機器の筐体に当接させるだけで、Ｆ型コネクタのナット部分に嵌合させることができるようになる。
【００１３】
そして、締め付けによりＦ型コネクタのナット部分が軸方向（換言すれば電子機器の筐体側）に移動しても、嵌合部の位置は変化しないので、嵌合部とナット部分との嵌合状態は保持され、嵌合部からナット部分が外れることはない。
【００１４】
よって、本発明のＦ型コネクタ用スパナによれば、Ｆ型コネクタを電子機器のＦ型接栓に螺合して締め付ける際の作業性を向上することができ、特に、アンテナ装置に同軸ケーブルを接続する場合のような高所作業では、安全性を高めることもできる。
【００１５】
なお、嵌合部を、嵌合部周囲の金属板の板面よりも高い位置に形成する際には、プレスによる曲げ加工を利用してもよいが、より好ましくは、請求項２に記載のように、絞り加工を利用するとよい。そして、このようにすれば、曲げ加工に比べ、嵌合部の強度を高めることができる。
【図面の簡単な説明】
【００１６】
【図１】実施形態のアンテナ装置の外観を表し、（ａ）はアンテナ装置を斜め正面側から見た状態を表す斜視図、（ｂ）はアンテナ装置を斜め裏面側から見た状態を表す斜視図である。
【図２】実施形態の取付金具及び取付金具のアンテナ装置への装着状態を表す説明図である。
【図３】アンテナ装置を建造物の壁面に取り付ける際に用いられる工具の構成を表し、（ａ）は工具を表面側から見た状態を表す斜視図、（ｂ）は工具を裏面側から見た状態を表す斜視図である。
【図４】図３に示す工具を用いて締め付け可能なＦ型コネクタ及び支柱取付ボルトを表す説明図である。
【発明を実施するための形態】
【００１７】
以下に本発明の実施形態を図面と共に説明する。
図１に示すように、本実施形態のアンテナ装置２は、ＵＨＦ帯のテレビ放送電波を受信するためのものであり、放射器及び反射器を、電波を透過可能な合成樹脂製で防水型のアンテナケース８内に収納することにより構成されている。
【００１８】
ここで、アンテナケース８内に収納される放射器は、金属板等からなる導電材料の薄板を、例えば金型を使って打ち抜き成形することにより構成されたスケルトンスロットアンテナにて構成されている。
【００１９】
また、反射器も、金属板等からなる導電材料の薄板を、金型を使って所定の形状に打ち抜き成形することにより構成されている。
そして、放射器及び反射器は、アンテナケース８内に間隔を空けて対向配置される。
【００２０】
このため、アンテナケース８は、厚みのない薄型の箱形状になっている。
なお、こうした放射器及び反射器の構成については、上記特許文献１等に記載されており、本願発明の主要部ではないので、詳細な説明は省略する。
【００２１】
次に、アンテナケース８は、反射器の板面よりも大きい開口部を有する扁平な箱状のケース本体１０と、このケース本体１０に放射器及び反射器を収納した状態で開口部を閉塞するカバー５０とから構成されている。
【００２２】
そして、ケース本体１０の裏面には、アンテナケース８内の放射器の給電点に接続されたＦ型接栓２２を保護する端子ケース２０、及び、アンテナ装置２を建造物の壁面若しくは支柱に固定するための取付金具６０が装着される装着部３０、が形成されている。
【００２３】
なお、端子ケース２０は、Ｆ型接栓２２における放射器への接続部分を保護すると共に、Ｆ型接栓２２のコネクタ接続部分をアンテナ装置２の下方に突出させて、その接続部分を雨水から保護するためのものである。
【００２４】
次に、取付金具６０は、図２（ａ）に示すように、建造物の壁面や支柱に当接される板状の当接部６２と、この当接部６２の上下両端縁から当接部６２の当接面とは直交する方向に延設された一対の支持片６４ａ、６４ｂと、これら一対の支持片６４ａ、６４ｂを貫通するように設けられるボルト６６とから構成されている。
【００２５】
そして、一対の支持片６４ａ、６４ｂの内、上方の支持片６４ａには、ボルト６６の先端に形成されたねじ部と螺合可能なナット６８が設けられており、下方の支持片６４ｂには、ボルト６６が挿通される挿通孔６９が形成されている。
【００２６】
また、この挿通孔６９は、ボルト６６のねじ部６７を螺合可能なねじ山（雌ネジ）が形成されており、ボルト６６のねじ部６７から頭部に至る部分は、ねじ部６７よりも小径になっている。
【００２７】
このため、ボルト６６は、ねじ部６７を、支持片６４ｂの挿通孔６９を通して支持片６４ａと６４ｂとの間に配置しておけば、ねじ部６７を支持片６４ａのナット６８に螺合しなくても、取付金具６０から抜け落ちることはない。
【００２８】
一方、装着部３０は、アンテナケース８の下方端縁に沿って形成されており、上下方向の長さが、取付金具６０の上下の支持片６４ａ、６４ｂの間に挿入可能な長さに設定されている。そして、装着部３０には、その内部を上下方向に貫通するよう、断面Ｔ字状で幅方向に長いボルト挿通孔３２が形成されている。
【００２９】
また、ボルト挿通孔３２の内、Ｔ字の幅方向の横方向の長孔は、ケース本体１０の裏面に対し略平行に形成され、Ｔ字の縦方向の孔は、ケース本体１０の裏面に向けて形成されている。
【００３０】
そして、取付金具６０は、上下の支持片６４ａ、６４ｂでボルト挿通孔３２の両端を覆うように、装着部３０に装着され、装着後、ボルト６６をボルト挿通孔３２に通して、ボルト６６のねじ部６７をナット６８に螺合し、締め付けることにより、位置決め固定される。
【００３１】
従って、ねじ部６７をナット６８に締め付ける前は、ボルト６６をボルト挿通孔３２内で移動させることができる。よって、図２（ｂ）〜（ｄ）に例示するように、ボルト６６（換言すれば取付金具６０）と、ケース本体１０（換言すればアンテナ装置２）との相対位置を変更できると共に、ボルト６６を中心としてアンテナ装置２を回動させることで、アンテナ装置２からの電波の放射方向を任意に設定することができる。
【００３２】
なお、図１（ａ）に示すように、ケース本体１０の裏面側には、アンテナケース８の上下・左右の４箇所に、Ｆ型コネクタ２６を介してＦ型接栓２２に接続された同軸ケーブル２８（図４（ａ）参照）を固定するためのケーブル固定部３６が形成されている。
【００３３】
また、同じくケース本体１０の裏面側には、アンテナケース８の上下方向の略中央で、左右両側に、上下方向に長い矩形の凹部３８が形成されている。この凹部３８は、アンテナ装置２を運ぶ際に、作業者等が凹部３８に指を入れて、アンテナ装置２を簡単に運ぶことができるようにするためのものである。
【００３４】
次に、本実施形態のアンテナ装置２には、アンテナ装置２の設置用の工具として、図３に示す工具７０が付属品として設けられている。
この工具７０は、金属板を曲げ・絞り等の板金加工することで長尺形状に形成され、その板面には、中心軸に沿って、スパナ部７２、レンチ部７４、傾き検出用の開口部７６、傾き検出用の係止部７８、及び、レンチ部８０が順に形成されている。
【００３５】
ここで、レンチ部７４は、図２（ａ）に示した取付金具６０のボルト６６を締め付けるためのものであり、ボルト６６の頭部を外嵌可能に形成されている。
そして、レンチ部７４の開口一端側には、隣接する開口部７６の内周端縁から金属板を曲げ加工することにより、レンチ部７４に嵌合されたボルト６６に当接して、ボルト６６がレンチ部７４から抜けるのを防止する抜止防止片７４ａが設けられている。
【００３６】
また、レンチ部８０は、取付金具６０に支柱挟持用の金具９０を取り付けるためのボルト９２（図４（ｂ）参照）を締め付けるためのものであり、そのボルト９２の頭部を外嵌可能に形成されている。
【００３７】
そして、レンチ部８０の開口一端側にも、工具７０の長手方向他端側から金属板を曲げ加工することにより、レンチ部８０に嵌合されたボルト９２に当接して、ボルト９２がレンチ部８０から抜けるのを防止する抜止防止片８０ａが設けられている。
【００３８】
次に、係止部７８及び開口部７６は、取付金具６０を建造物の壁面に固定する際、その傾きを黙視で検出できるようにするためのものであり、係止部７８は、工具７０の板面の長手方向中心軸上で、レンチ部８０側に偏心した位置に形成され、開口部７６は、工具７０の板面の長手方向中心軸上で、レンチ部７４及びスパナ部７２側に偏心した位置に形成されている。
【００３９】
そして、係止部７８は、取付金具６０を建造物の壁面に取り付ける際に、工具７０のスパナ部７２を下方にして、取付金具６０の支持片６４ａのナット６８側先端部分に立設された突片６５（図２（ａ）参照）に引っ掛け、突片６５を介して工具７０を取付金具６０に垂下させるのに用いられる。
【００４０】
また、開口部７６は、工具７０を取付金具６０の突片６５に垂下させた際に、作業者が開口部７６の外から取付金具６０を覗くことで、ボルト６６の位置を確認し、そのボルト６６の位置から、取付金具６０が傾いているか否かを判断するためのものである。
【００４１】
次に、スパナ部７２は、図４（ａ）に示したＦ型コネクタ２６をＦ型接栓２２に螺合し、締め付けるためのものであり、Ｆ型接栓２２に螺合可能なナット部を外嵌可能に形成されている。そして、スパナ部７２は、工具７０の長手方向一端側に開口している。
【００４２】
このため、同軸ケーブル２８の先端に装着されたＦ型コネクタ２６に対し、横方向から嵌合させて、Ｆ型コネクタ２６をアンテナ装置２の端子ケース２０から突出されたＦ型接栓２２にしっかりと締め付けることができる。つまり、スパナ部７２は、工具７０を、本発明のＦ型コネクタ用スパナとして機能させることができる。
【００４３】
そして、特に本実施形態では、図３に示すように、スパナ部７２は、工具７０を構成する金属板を絞り加工することで、工具７０の板面に段差８２を付け、同時に、工具７０の板面から最も高い位置にＦ型コネクタ２６のナット部分に嵌合可能な嵌合部８４を形成することにより、構成されている。
【００４４】
これは、アンテナ装置２の端子ケース２０において、外部に突出されたＦ型接栓２２の周囲には、図４（ａ）に示すように、Ｆ型接栓２２にＦ型コネクタ２６を接続した際、その接続部分を周囲から保護する防水キャップ（図示せず）を装着するための円筒枠２４が設けられており、円筒枠２４の先端部分からのＦ型接栓２２の突出量が略決まっているためである。
【００４５】
つまり、このようにＦ型接栓２２が端子ケース２０（換言すれば円筒枠２４）から突出している場合、Ｆ型コネクタ２６をＦ型接栓２２に螺合させて締め付ける際には、端子ケース２０とＦ型コネクタ２６との間に隙間ができる。
【００４６】
そして、従来の簡易型のスパナのように、長尺形状の金属板の先端部分に段差８２若しくは厚みを付けずに嵌合部８４を形成すると、Ｆ型コネクタ２６の締め付け時に、嵌合部８４が、端子ケース２０とＦ型コネクタ２６との間の隙間に入り、締め付け作業を良好に行うことができないことがある。
【００４７】
そこで、本実施形態では、スパナ部７２に段差８２を設けることで、嵌合部８４を、工具７０の板面よりも高い位置に形成しているので、Ｆ型コネクタ２６の締め付け時に、嵌合部８４が端子ケース２０とＦ型コネクタ２６との間の隙間に入るのを防止することができる。
【００４８】
また、嵌合部８４の高さを、円筒枠２４先端からのＦ型接栓２２の突出量に対応させておけば、Ｆ型コネクタ２６の締め付け時に、スパナ部７２周囲の工具７０の板面を円筒枠２４の先端に当接させることで、嵌合部８４をＦ型コネクタ２６のナット部分により確実に嵌合させることができ、しかも、締め付けによりナット部分が移動しても、嵌合状態を保持することができる。
【００４９】
よって、本実施形態の工具７０によれば、Ｆ型コネクタ２６をアンテナ装置２のＦ型接栓２２に螺合して締め付ける際の作業性を向上することができ、特に、アンテナ装置を高所に設置する際には、作業時の安全性を高めることもできる。
【００５０】
以上、本発明の一実施形態について説明したが、本発明は、上記実施形態に限定されるものではなく、本発明の要旨を逸脱しない範囲内にて、種々の態様をとることができる。
例えば、上記実施形態では、工具７０はアンテナ装置２の設置作業に用いられるものであり、スパナ部７２は、アンテナ装置２に設けられたＦ型接栓２２にＦ型コネクタ２６を螺合して締め付けるのに用いられるものであるとして説明したが、スパナ部７２は、Ｆ型接栓２２が備えられた電子機器であれば、どのような電子機器であっても、Ｆ型接栓２２を装着するのに用いることができる。
【００５１】
また、本発明のＦ型コネクタ用スパナは、レンチ部等のないコネクタ締め付け専用の板状の器具として構成することもできる。
また、上記実施形態では、スパナ部７２の嵌合部８４は、絞り加工により段差を設けることで、工具７０の板面に対し所定の高さ位置に配置されるものとして説明したが、工具７０を構成する金属板の曲げ加工により、嵌合部８４を所定の高さ位置に配置するようにしてもよい。
【符号の説明】
【００５２】
２…アンテナ装置、８…アンテナケース、１０…ケース本体、２０…端子ケース、２２…Ｆ型接栓、２４…円筒枠、２６…Ｆ型コネクタ、２８…同軸ケーブル、３０…装着部、３２…ボルト挿通孔、３６…ケーブル固定部、３８…凹部、５０…カバー、６０…取付金具、６２…当接部、６４ａ，６４ｂ…支持片、６５…突片、６６…ボルト、６７…ねじ部、６８…ナット、６９…挿通孔、７０…工具、７２…スパナ部、７４…レンチ部、７４ａ…抜止防止片、７６…開口部、７８…係止部、８０…レンチ部、８０ａ…抜止防止片、８２…段差、８４…嵌合部、９０…金具、９２…ボルト。
【図１】
2014065127.tif 000003
【図２】
2014065127.tif 000004
【図３】
2014065127.tif 000005
【図４】
2014065127.tif 000006